【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
仮想現実(VR)環境におけるID認証のためのコンピュータ実装方法であって、
VR端末デバイスによって、複数のターゲットサービスのうちの少なくとも1つのターゲットサービスのためのユーザのユーザID認証要求を受信するステップと、
前記VR端末デバイスによって、サービスサーバとの前記ユーザのアカウントの状態を確立するステップと、
前記VR端末デバイスによって、前記VR環境における眼球の生理学的特徴の収集の完了を前記ユーザに通知するように構成されるプロンプトインターフェースを提示するステップであって、前記プロンプトインターフェースは、アニメ化された仮想眼球モデルを表示し、前記アニメ化された仮想眼球モデルは、モデリングツールを使用して生成される、ステップと、
前記ユーザのリアルタイムな眼球動作に応答して、前記VR端末デバイスによって、前記ユーザの前記リアルタイムな眼球動作をシミュレートするために、前記表示されたアニメ化された仮想眼球モデルを更新するステップであって、前記リアルタイムな眼球動作は、眼球回転と、眼球瞬き動作、開眼動作のうちの少なくとも1つを含む、ステップと、
前記VR端末デバイスによって、前記ユーザの眼球画像を収集するために複数のカメラを起動するステップと、
前記VR端末デバイスによって、前記ユーザの前記眼球の生理学的特徴を抽出するために前記眼球画像を処理するステップと、
前記VR端末デバイスによって、前記眼球の生理学的特徴に基づいて前記ユーザに対してID認証を実行するために、前記眼球の生理学的特徴を前記サービスサーバに送信するステップと、
前記VR端末デバイスによって、前記サービスサーバからのID認証応答に基づいて、前記少なくとも1つのターゲットサービスを実行するために、前記ユーザに関する少なくとも1つのターゲットサービスに関連するサービスインターフェースを表示するステップと
を含む、コンピュータ実装方法。
【請求項２】
前記VR環境における前記アニメ化された仮想眼球モデルを表示するステップは、
前記ユーザの前記リアルタイムな眼球動作データを収集するステップと、
前記ユーザの前記収集されたリアルタイムな眼球動作データに基づいて前記表示されたアニメ化された仮想眼球モデルを調整するステップと
を含む、請求項1に記載のコンピュータ実装方法。
【請求項３】
前記ユーザの前記リアルタイムな眼球動作データを収集するステップは、
前記ユーザの前記リアルタイムな眼球動作に対応する眼球画像を収集するために前記複数のカメラを起動するステップと、
前記ユーザの前記リアルタイムな眼球動作に対応する前記眼球画像から、前記ユーザの前記リアルタイムな眼球動作に対応する少なくとも1つの眼球特徴点を抽出するステップと、
前記少なくとも1つの眼球特徴点に対して運動追跡を実行するステップと、
前記少なくとも1つの眼球特徴点の座標変更データを収集するステップと
を含む、請求項2に記載のコンピュータ実装方法。
【請求項４】
前記VR端末デバイスをサードパーティ端末デバイスに関連付けるステップと、
前記アニメ化された仮想眼球モデルを備える前記プロンプトインターフェースを前記関連付けられたサードパーティ端末デバイスに送信するステップであって、前記関連付けられたサードパーティ端末デバイスは、前記プロンプトインターフェースを同期的に出力する、ステップと
をさらに含む、請求項1に記載のコンピュータ実装方法。
【請求項５】
前記眼球の生理学的特徴はアイプリント特徴と虹彩特徴とを備え、前記眼球は目蓋、目尻、虹彩、および強膜のうちの少なくとも1つを備える、請求項1に記載のコンピュータ実装方法。
【請求項６】
前記眼球回転動作に対応する少なくとも1つの眼球特徴点は、少なくとも1つの虹彩特徴点または少なくとも1つの強膜特徴点を備え、前記瞬き動作および開眼動作に対応する少なくとも1つの眼球特徴点は、少なくとも1つの目蓋特徴点または少なくとも1つの目尻特徴点を備える、請求項5に記載の方法。
【請求項７】
前記ユーザID認証要求を生成するように構成されるターゲットサービスをトリガするための音声命令を受信するステップをさらに含み、前記複数のカメラは、RGBカメラと赤外線カメラの少なくとも一方を備える、請求項1に記載のコンピュータ実装方法。
【請求項８】
輝度値を判定するために前記眼球画像を処理するステップと、
前記輝度値が所定のしきい値よりも低いかどうかを判定するステップと、
前記輝度値が前記所定のしきい値よりも低いかどうかを判定したことに応答して、光源が前記複数のカメラのうちの少なくとも1つに対して光補償を実行するのを可能にするステップと
をさらに備える、請求項1に記載のコンピュータ実装方法。
【請求項９】
前記VR端末デバイスによって、前記ユーザの前記リアルタイムな眼球動作をシミュレートするために、前記表示されたアニメ化された仮想眼球モデルを更新するステップが、
前記ユーザの目が動くと判定するステップと、
前記ユーザの目が動くと判定したことに応答して、前記ユーザの前記リアルタイムな眼球動作をシミュレートするために、前記表示されたアニメ化された仮想眼球モデルを更新するステップと
をさらに備える、請求項1に記載のコンピュータ実装方法。
【請求項１０】
コンピュータ可読記憶媒体であって、
仮想現実(VR)端末デバイスによって、複数のターゲットサービスのうちの少なくとも1つのターゲットサービスのためのユーザのユーザID認証要求を受信することと、
前記VR端末デバイスによって、サービスサーバとの前記ユーザのアカウントの状態を確立することと、
前記VR端末デバイスによって、前記VR環境における眼球の生理学的特徴の収集の完了を前記ユーザに通知するように構成されるプロンプトインターフェースを提示することであって、前記プロンプトインターフェースは、アニメ化された仮想眼球モデルを表示し、前記アニメ化された仮想眼球モデルは、モデリングツールを使用して生成される、提示することと、
前記ユーザのリアルタイムな眼球動作に応答して、前記VR端末デバイスによって、前記ユーザの前記リアルタイムな眼球動作をシミュレートするために、前記表示されたアニメ化された仮想眼球モデルを更新することであって、前記リアルタイムな眼球動作は、眼球回転と、眼球瞬き動作、開眼動作のうちの少なくとも1つを含む、更新することと、
前記VR端末デバイスによって、前記ユーザの眼球画像を収集するために複数のカメラを起動することと、
前記VR端末デバイスによって、前記ユーザの前記眼球の生理学的特徴を抽出するために前記眼球画像を処理することと、
前記VR端末デバイスによって、前記眼球の生理学的特徴に基づいて前記ユーザに対してID認証を実行するために、前記眼球の生理学的特徴を前記サービスサーバに送信することと、
前記VR端末デバイスによって、前記サービスサーバからのID認証応答に基づいて、前記少なくとも1つのターゲットサービスを実行するために、前記ユーザに関する少なくとも1つのターゲットサービスに関連するサービスインターフェースを表示することと
を含む動作を実施するために、コンピュータシステムによって実行可能な1つまたは複数の命令を記憶した、コンピュータ可読記憶媒体。
【請求項１１】
前記VR環境における前記アニメ化された仮想眼球モデルを表示することが、
前記ユーザの前記リアルタイムな眼球動作データを収集することと、
前記ユーザの前記収集されたリアルタイムな眼球動作データに基づいて前記表示されたアニメ化された仮想眼球モデルを調整することと
を含む、請求項10に記載のコンピュータ可読記憶媒体。
【請求項１２】
前記ユーザの前記リアルタイムな眼球動作データを収集することが、
前記ユーザの前記リアルタイムな眼球動作に対応する眼球画像を収集するために前記複数のカメラを起動することと、
前記ユーザの前記リアルタイムな眼球動作に対応する前記眼球画像から、前記ユーザの前記リアルタイムな眼球動作に対応する少なくとも1つの眼球特徴点を抽出することと、
前記少なくとも1つの眼球特徴点に対して運動追跡を実行することと、
前記少なくとも1つの眼球特徴点の座標変更データを収集することと
を含む、請求項11に記載のコンピュータ可読記憶媒体。
【請求項１３】
前記動作が、
前記VR端末デバイスをサードパーティ端末デバイスに関連付けることと、
前記アニメ化された仮想眼球モデルを備える前記プロンプトインターフェースを前記関連付けられたサードパーティ端末デバイスに送信することであって、前記関連付けられたサードパーティ端末デバイスは、前記プロンプトインターフェースを同期的に出力する、送信することと
をさらに含む、請求項10に記載のコンピュータ可読記憶媒体。
【請求項１４】
前記眼球の生理学的特徴はアイプリント特徴と虹彩特徴とを備え、前記眼球は目蓋、目尻、虹彩、および強膜のうちの少なくとも1つを備える、請求項10に記載のコンピュータ可読記憶媒体。
【請求項１５】
前記眼球回転動作に対応する少なくとも1つの眼球特徴点は、少なくとも1つの虹彩特徴点または少なくとも1つの強膜特徴点を備え、前記瞬き動作および開眼動作に対応する少なくとも1つの眼球特徴点は、少なくとも1つの目蓋特徴点または少なくとも1つの目尻特徴点を備える、請求項14に記載のコンピュータ可読記憶媒体。
【請求項１６】
前記動作が、前記ユーザID認証要求を生成するように構成されるターゲットサービスをトリガするための音声命令を受信することをさらに含み、前記複数のカメラは、RGBカメラと赤外線カメラの少なくとも一方を備える、請求項10に記載のコンピュータ可読記憶媒体。
【請求項１７】
輝度値を判定するために前記眼球画像を処理することと、
前記輝度値が所定のしきい値よりも低いかどうかを判定することと、
前記輝度値が前記所定のしきい値よりも低いかどうかを判定したことに応答して、光源が前記複数のカメラのうちの少なくとも1つに対して光補償を実行するのを可能にすることと
をさらに備える、請求項10に記載のコンピュータ可読記憶媒体。
【請求項１８】
前記VR端末デバイスによって、前記ユーザの前記リアルタイムな眼球動作をシミュレートするために、前記表示されたアニメ化された仮想眼球モデルを更新することが、
前記ユーザの目が動くと判定することと、
前記ユーザの目が動くと判定したことに応答して、前記ユーザの前記リアルタイムな眼球動作をシミュレートするために、前記表示されたアニメ化された仮想眼球モデルを更新することと
をさらに備える、請求項10に記載のコンピュータ可読記憶媒体。
【請求項１９】
コンピュータ実装システムであって、
1つまたは複数のコンピュータと、
前記1つまたは複数のコンピュータと相互動作可能に結合され、かつ1つまたは複数の命令を記憶した有形、非一時的、かつ機械可読な媒体を有する1つまたは複数のコンピュータメモリデバイスであって、前記命令が前記1つまたは複数のコンピュータによって実施されるとき、
仮想現実(VR)端末デバイスによって、複数のターゲットサービスのうちの少なくとも1つのターゲットサービスのためのユーザのユーザID認証要求を受信することと、
前記VR端末デバイスによって、サービスサーバとの前記ユーザのアカウントの状態を確立することと、
前記VR端末デバイスによって、前記VR環境における眼球の生理学的特徴の収集の完了を前記ユーザに通知するように構成されるプロンプトインターフェースを提示することであって、前記プロンプトインターフェースは、アニメ化された仮想眼球モデルを表示し、前記アニメ化された仮想眼球モデルは、モデリングツールを使用して生成される、提示することと、
前記ユーザのリアルタイムな眼球動作に応答して、前記VR端末デバイスによって、前記ユーザの前記リアルタイムな眼球動作をシミュレートするために、前記表示されたアニメ化された仮想眼球モデルを更新することであって、前記リアルタイムな眼球動作は、眼球回転と、眼球瞬き動作、開眼動作のうちの少なくとも1つを含む、更新することと、
前記VR端末デバイスによって、前記ユーザの眼球画像を収集するために複数のカメラを起動することと、
前記VR端末デバイスによって、前記ユーザの前記眼球の生理学的特徴を抽出するために前記眼球画像を処理することと、
前記VR端末デバイスによって、前記眼球の生理学的特徴に基づいて前記ユーザに対してID認証を実行するために、前記眼球の生理学的特徴を前記サービスサーバに送信することと、
前記VR端末デバイスによって、前記サービスサーバからのID認証応答に基づいて、前記少なくとも1つのターゲットサービスを実行するために、前記ユーザに関する少なくとも1つのターゲットサービスに関連するサービスインターフェースを表示することと
を含む動作を実施する、コンピュータシステムによって実行可能な1つまたは複数の命令を記憶した、コンピュータ実装システム。
【請求項２０】
前記VR環境における前記アニメ化された仮想眼球モデルを表示することが、
前記ユーザの前記リアルタイムな眼球動作データを収集することと、
前記ユーザの前記収集されたリアルタイムな眼球動作データに基づいて前記表示されたアニメ化された仮想眼球モデルを調整することと
を含む、請求項19に記載のコンピュータ実装システム。